(57)【要約】【課題】静止画撮影モード、動画撮影モードを有するデジタルカメラにおいて静止画撮影モードのときには光学性能が劣化することなく画像が記録されるとともに、動画撮影モードのときには画像とともに音声は記録されても、音声以外の音が記録され難いデジタルカメラを提供すること。【解決手段】動画撮影モードのときにはスライド操作子１６０を動画側へスライドさせる。そうすると緩衝部材１６１が移動し、回動絞り板１５２の腕部１５２ｂ，１５２ｃが当て付け部材１５５に当接される部分Ａ，Ｂが緩衝部材１６１により覆われる。静止画撮影モードのときには緩衝部材１６１が当て付け部材１５５から引き戻されて剛体の当て付け部材１５５に回動絞り板１５２が係止される。【選択図】　　　　図３
2004040690.tif 000002
【特許請求の範囲】
【請求項１】
被写体からの光を取り込んで撮像素子上に結像させ該撮像素子で画像を取り込むことにより撮影を行う、静止画撮影モードと動画撮影モードを有するデジタルカメラにおいて、
相対的に大きな口径の第１の絞りを有する固定絞り板と、
前記第１の絞りよりも相対的に小さな第２の絞りを有し、前記第１の絞りを開放した開放絞り位置と前記第２の絞りを前記第１の絞りに重ねた小絞り位置との間で回動する回動絞り板と、
前記回動絞り板を被写界輝度に応じて前記開放絞り位置あるいは前記小絞り位置に移動させるアクチュエータと、
前記回動絞り板が前記開放絞り位置に移動したときおよび前記小絞り位置に移動したときに当接して該回動絞り板を位置決めする剛体の当て付け部材と、
前記静止画撮影モードで前記当て付け部材を開放するとともに、前記動画撮影モードでは前記当て付け部材と前記回動絞り板との間に介在して該回動絞り板の当接を受ける緩衝部材とを備えたことを特徴とするデジタルカメラ。
【請求項２】
前記静止画撮影モードと前記動画撮影モードを切り替える操作子を備え、前記緩衝部材は、前記操作子に連結され、該操作子の操作に応じて、前記静止画撮影モードでは前記当て付け部材を開放するとともに、前記動画撮影モードでは前記当て付け部材と前記回動絞り板との間に介在して該回動絞り板の当接を受けるものであることを特徴とする請求項１記載のデジタルカメラ。
【請求項３】
動画像の撮影中に音声の録音を行う録音手段を備えたことを特徴とする請求項１または２記載のデジタルカメラ。
【発明の詳細な説明】
【０００１】
【発明の属する技術分野】
本発明は、被写体からの光を取り込んで所定の撮影面上に結像させる撮影光学系を備えたカメラに関する。
【０００２】
【従来の技術】
デジタルカメラの絞りには今までのカメラのように絞りの開口径が連続的に変わるようなものではなく、相対的に小さな開口の絞りとその絞りよりも相対的に大きな開口の絞りとが切り替えられる２段切り替え型の絞り機構が備えられたものが多い。デジタルカメラにはＣＣＤ固体撮像素子からＲＧＢ信号が読み出されるときにサンプリングを所定の間隔隔てて２回行なって雑音の低減を行なう相関２重サンプリング部やアンプなどが備えられており、これらの部分でダイナミックレンジの調整を行えることができ、二つの絞りが切り替えられる２段切り替え型の絞り機構が用いられている。
【０００３】
前述の２段切り替え方式の絞り機構では相対的に小さな開口の絞りを備えた絞り板を回動自在にして、被写界輝度が明るいときにはその絞り板を光軸に配置して小さな開口の絞りを作用させて、被写界輝度が暗いときにはその絞り板を光軸から離れる方向に回動させて、固定されている大きな開口の絞りの方を作用させる。この相対的に小さな開口の絞りを備えた絞り板の回動には例えば一例としてムービングマグネット式モータと呼ばれるものが用いられる。
【０００４】
このようなムービングマグネット式モータではマグネットが回動され、そのマグネットに係合された絞り板が回動される。そして絞り板が回動されたときには、その絞り板の回動を所定の位置で停止させるべく、回動されている絞り板を当て付け部材に当て付けてその絞り板を停止させることが行なわれる。所定の位置に固定された当て付け部材に当て付けられた絞り板はその当て付け部材に当接した位置に係止される。この係止される位置が正しく保たれるように当て付け部材には剛体のものが用いられている。
【０００５】
しかし、上記のような構成では、絞り板が回動されて剛体からなる当て付け部材に絞り板が当接するたびに音が発生するという問題がある。特に動画撮影モードでの撮影が行なわれているときには撮影中に露出調整が行なわれて二つの絞りが切り替えられることもあるのでその音が騒音となってマイクで拾われて録音されてしまうことがある。
【０００６】
そこで特開平１１−３３８００２号公報や特開平６−６７２５９号公報には、回動される絞り板が当て付け部材に当接するときの当接音の発生を抑制するための方策が掲げられている。
【０００７】
【発明が解決しようとする課題】
特開平１１−３３８００２号公報では、液晶体を利用して機械的な動作部を無くしたものが紹介されている。しかしこのような液晶体を用いて電子的な絞りを構成するものでは、液晶体のほかに液晶体を効率的に機能させるための偏光板などが付加されることが多い。したがって機械的な動作部が無くなり当接音の発生は無くなるものの、光が偏光板を通過するときや液晶体内部を通過するときとでロスが発生し、充分な光量が固体撮像素子に対して与えられなくなるといった事態を引き起こすことがある。
【０００８】
また、特開平６−６７２５９号公報では剛体からなる固定部材に代えて柔らかい緩衝部材を用いてその柔らかい緩衝部材に絞り板を当て付けることが行なわれ、当接音の発生が抑制されるものが掲げられている。しかしこの方式では絞り板がいずれかの位置に保持されるときに緩衝部材のやわらかさにより絞りの位置が光軸からずれるといったことが起こる。
【０００９】
上記公報のいずれにおいてもＣＣＤ固体撮像素子上の光量分布や解像度が均一でなくなるなど、光学性能を満足できなくなるという欠点を有する。この欠点は動画撮影モードではそれほど大きな影響となっては現れないものの、静止画撮影モードでは撮影される画像に高解像度であることが要求されており、その欠点が画質の劣化となって顕著に現れてしまうという問題がある。
【００１０】
本発明は、上記事情に鑑み、静止画撮影モード、動画撮影モードを有するデジタルカメラにおいて静止画撮影モードのときには光学性能が劣化することなく画像が記録されるとともに、動画撮影モードのときには画像とともに音声は記録されても、音声以外の音が記録され難いデジタルカメラを提供することを目的とする。
【００１１】
【課題を解決するための手段】
上記目的を達成する本発明のカメラは、被写体からの光を取り込んで撮影素子上に結像させ該撮像素子で画像を取り込むことにより撮影を行う、静止画撮影モードと動画撮影モードを有するデジタルカメラにおいて、
相対的に大きな口径の第１の絞りを有する固定絞り板と、
前記第１の絞りよりも相対的に小さな第２の絞りを有し、前記第１の絞りを開放した開放絞り位置と前記第２の絞りを前記第１の絞りに重ねた小絞り位置との間で回動する回動絞り板と、
前記回動絞り板を被写界輝度に応じて前記開放絞り位置あるいは前記小絞り位置に移動させるアクチュエータと、
前記回動絞り板が前記開放絞り位置に移動したときおよび前記小絞り位置に移動したときに当接して該回動絞り板を位置決めする剛体の当て付け部材と、
前記静止画撮影モードで前記当て付け部材を開放するとともに、前記動画撮影モードでは前記当て付け部材と前記回動絞り板との間に介在して該回動絞り板の当接を受ける緩衝部材とを備えたことを特徴とする。
【００１２】
上記発明のカメラによれば、動画像モードのときには上記緩衝部材が上記回動絞り板と上記当て付け部材との間に介在して回動絞り板が当て付け部材に当接するときの騒音が防止され、静止画撮影モードのときには剛体の当て付け部材により絞り板の回動が受け止められて回動絞り板が位置決めされ、回動絞り板の位置ずれが起こらなくなる。
【００１３】
ここで、前記静止画撮影モードと前記動画撮影モードを切り替える操作子を備え、前記緩衝部材は、前記操作子に連結され、該操作子の操作に応じて、前記静止画撮影モードでは前記当て付け部材を開放するとともに、前記動画撮影モードでは前記当て付け部材と前記回動絞り板との間に介在して該回動絞り板の当接を受けるものであることが好ましい。
【００１４】
このように絞り板と当て付け部材の間に緩衝部材を介在させるかどうかを決める操作子を設ければ、その操作子を操作し、緩衝部材を絞り板と当て付け部材との間に介在させることも、介在させずに開放することもユーザ操作により簡単に行なうことができる。
【００１５】
さらに、上記発明のデジタルカメラが音声の録音を行う録音手段を備えたものである場合には、動画撮影モードのときに回動絞り板と当て付け部材との間に緩衝部材を介在させれば、録音された音声の中に絞り板が当て付け部材に当接したときの音が、録音された音声の中に騒音となって混入されるといったことがなくなる。
【００１６】
【発明の実施の形態】
以下、本発明の実施形態について説明する。
【００１７】
図１は本発明の実施形態を示すデジタルカメラの外観図である。図１（ａ）は正面図、（ｂ）は上面図、（ｃ）は側面図、（ｄ）は背面図である。
【００１８】
図１（ａ）〜（ｃ）に示すデジタルカメラ１００はレンズ１０１からカメラ１００内部に配備されているＣＣＤ固体撮像素子１１０まで被写体の像が導かれるようになっている。またレンズの脇には動画撮影モードと静止画撮影モードで切り替えが自在になるスライド操作子１６０が設けられている。このスライド操作子１６０については後述する。
【００１９】
図１（ｄ）に示すように本実施形態のデジタルカメラ１００の背面にはユーザがこのデジタルカメラ１００を使用するときにいろいろな操作を行うための操作部が設けられている。
【００２０】
この操作部には操作用のスイッチ群とＬＣＤ画面１０５ａが設けられている。操作スイッチ群にはデジタルカメラを作動させるための電源投入用のパワースイッチ１０２、撮影と再生とを自在に切替える撮影・再生切替レバー１０３、実行キー１０６ａ、キャンセルキー１０６ｂ、十字キー１０７および閃光発光装置のポップアップスイッチ１０８などがある。また、ＬＣＤ画面１０５ａに表示される選択メニューの項目が十字キー１０７によって選択できるようになっている。さらにはＬＣＤ画面１０５ａの表示、非表示の切替を行うための表示キー１０５１も設けられている。なおこの十字キー１０７の内側には撮影モードなどが表示される表示部１０７ａがある。
【００２１】
また、図１（ｂ）に示すようにこのデジタルカメラ１００の上方にはレリーズ釦１０９が配備されている。このレリーズ釦１０９によって撮影の開始指示がデジタルカメラ内部の信号処理部へと伝えられる。このデジタルカメラ１００では撮影・再生切替レバー１０３によって撮影と再生との切替が自在になっていて、撮影を行うときにはユーザによって撮影・再生切替レバー１０３が撮影側１０３ａに切り替えられ、再生を行うときには撮影・再生切替レバー１０３が再生側１０３ｂに切り替えられる。また、夜間撮影も行えるように閃光発光装置１０４が配備されている。
【００２２】
図２はデジタルカメラ１００の内部に配備された信号処理部の構成ブロック図である。図２を参照してデジタルカメラ１００内にある信号処理部の構成を説明する。なお、図２にはＣＣＤ固体撮像素子１１０のことをＣＣＤと記してある。
【００２３】
本実施形態のデジタルカメラ１００ではすべての処理がＣＰＵ１１１によって制御されていて、このＣＰＵ１１１の制御のもとにＤＳＰ１１２によってＣＣＤ固体撮像素子１１０で得られた画像データの処理が行われる。このＣＰＵ１１１とＤＳＰ１１２とは図示しないバスで接続されており、このバスを介してデータのやりとりが行われる。また、ＣＰＵ１１１にはＳＤＲＡＭ１１３とＦＬＡＳＨＲＯＭ１１４とが接続されており、ＳＤＲＡＭ１１３にはＤＳＰ１１２で処理が行われる画像データが記憶され、ＦＬＡＳＨＲＯＭ１１４にはＣＰＵ１１１に処理を実行させるためのプログラムが記憶されている。図２にはＤＳＰ１１２側へＳＤＲＡＭ１１３に記憶された画像データの読み出しが行われることが矢印で示されている。
【００２４】
このＣＰＵ１１１の入力部には、図１に示した各種キーおよび各種スイッチの操作に応じた電気信号が入力される。図２ではこれらの各種キーおよび各種スイッチを、キーを示すＫＥＹ、スイッチを示すＳＷ…を用いてＫＥＹ，ＳＷ…と示してある。この各種スイッチを示すキーＫＥＹ、スイッチＳＷ…１１５には、図１に示したパワースイッチ１０２、撮影・再生切替スイッチ１０３、表示キー１０５１、実行キー１０６ａ、キャンセルキー１０６ｂ、上キー１０７１、右キー１０７２、下キー１０７３、左キー１０７４の４つのキーで構成される十字キー１０７がある。
【００２５】
また、本実施形態のデジタルカメラ１００ではＬＣＤ画面１０５ａに表示メニューの表示が可能な構成になっており、そのメニューで表示される項目の選択が上記十字キー１０７によっても行なわれ、その十字キーにより選択された選択信号がＣＰＵ１１１に供給される。
【００２６】
この十字キー１０７ではＬＣＤ画面１０５ａに表示される選択メニューの、複数の項目の中のいずれかが選択できるようになっている。図１に示した十字キーの４つのキーのうち、上キー１０７１が押されたら上方向へＬＣＤ画面１０５ａに表示されたカーソルが移動し、右キー１０７２が押されたらカーソルが右方向へ移動する構成になっている。これらのキー１０７１〜１０７４が押されたときに、それらのキー１０７１〜１０７４が押されたことがＣＰＵ１１１に認識され、ＣＰＵ１１１では４つのキー１０７１〜１０７４のうち、いずれかのキーが押されたことに基づいてバスを経由させてＬＣＤ画面１０５ａへカーソルの移動指示が転送される。そうすると複数表示されている項目の中のいずれかにカーソルが移動してそれらの項目の中のいずれかがその移動したカーソルにより選択される。カーソルが項目の中のいずれかに置かれた状態で実行キー１０６ａが押されればその項目が実行される。したがってユーザはＬＣＤ画面１０５ａに表示されたカーソルにより、選択メニューの中の、複数の項目のいずれかを選択することができる。
【００２７】
本実施形態のデジタルカメラ１００には静止画撮影モードと動画撮影モードとがあり、この選択メニューで動画撮影モードが選択されない限り、静止画撮影モードでの撮影が行なわれる。
【００２８】
ここで動画撮影モードが選択されたら、ＣＰＵ１１１からＤＳＰ１１２へ動画撮影モードであることが告げられ、ＤＳＰ１１２で動画撮影モードのプロセスが起動される。
【００２９】
また、撮影・再生切替レバー１０３が再生側１０３ｂに切り替えられると記録メディアからの再生が行われる。このときには撮影を行うための指示を行うレリーズ釦などからの信号が入力されても処理は行われない。
【００３０】
次にＣＰＵ１１１の出力部を説明する。
【００３１】
出力部にはタイミングジェネレータ（以下ＴＧという）１１６、フォーカスレンズ１１８を駆動するためのモータドライバ（以下ＤＲＶという）１１７、絞りメータを駆動するためのメータ駆動装置１５０が接続されている。また、閃光発光部１０４に閃光発光を行わせる閃光発光装置１０４ａもＣＰＵ１１１に接続されている。
【００３２】
まずユーザが撮影を行うときにＣＰＵ１１１の出力部からどのような信号が出力されるかを説明する。
【００３３】
静止画撮影モードであっても動画撮影モードであっても撮影を行うときにはＬＣＤ画面１０５ａ上に被写体像が被写体の動きにあわせて表示されている。この表示されている被写体の像を見ながら、ユーザによりフレーミングが行なわれ、レリーズ釦１０９が押されたら撮影が行なわれる。このときにはＴＧ１１６からＣＣＤ固体撮像素子１１０に所定の間隔ごとにＲＧＢ信号の出力タイミングを知らせる信号が供給されている。ここでレリーズ釦１０９が押されたら、ＣＰＵ１１１では撮影開始を指示する信号がＴＧ１１６へ出力される。ＴＧ１１６ではこの指示を受けてＣＣＤ固体撮像素子１１０へレリーズ釦１０９が押下されたことを知らせる信号が供給される。この信号を受けてＣＣＤ固体撮像素子１１０ではレリーズ釦１０９が押されたときにＣＣＤ固体撮像素子１１０によって撮像されていた画像データがＲＧＢ信号として出力される。
【００３４】
ここで動画撮影モードが選択されているとレリーズ釦１０９が押され続けられている間中、ＤＳＰ１１２内で動画撮影モードの処理が行なわれる。もともとＣＣＤ固体撮像素子１１０からは所定の間隔ごとにＬＣＤ画面１０５ａにスルー画像の表示を行なうためのＲＧＢ信号が出力されており、レリーズ釦１０９が押されたときにはレリーズ釦１０９が押されたときの画像がＲＧＢ信号となって出力され、画像データとなって記録メディア１３０に記録される。レリーズ釦１０９が押されたときにＣＣＤ固体撮像素子１１０で撮像されていたＲＧＢ信号が画像データになって記録メディアに記録された後はレリーズ釦が押されている間中所定の間隔ごとに記録メディア１３０への記録が連続的に行なわれる。
【００３５】
またフォーカスレンズ１１８を駆動するための信号もＣＰＵ１１１からＤＲＶ１１７に出力されている。これは焦点調節用のものであり、合焦点位置にフォーカスレンズ１１８を配置するためのものである。スルー画像がＬＣＤＬＣＤ画面上に表示されているときにも、ここで焦点調節が絶えず行なわれている。
【００３６】
さらに露出調整用の信号もＣＰＵ１１１から絶えずメータ駆動装置に供給され、メータ駆動装置では露出調整用に絞りの切替が行なわれている。
【００３７】
また、閃光発光装置のポップアップ用のスイッチ１０８が押されると、閃光発光装置１０４ａを介してポップアップ信号が閃光発光部１０４に伝えられて閃光発光部１０４がポップアップされる。
【００３８】
ここで撮影が行なわれるときの信号処理の概要を図２を参照して説明する。
【００３９】
ＣＣＤ固体撮像素子１１０で得られた撮像信号はＲＧＢ信号となってＣＤＳおよびＡ／Ｄ部１１９へ供給される。このＣＤＳおよびＡ／Ｄ部１１９で雑音の低減が行われてからデジタル信号に変換され、デジタルのＲＧＢ信号となってＤＳＰ１１２へ供給される。このＤＳＰ１１２内には画像信号処理部、圧縮処理部、ＡＥ（ＡｕｔｏＥｘｐｏｓｕｒｅ）検出部、ＡＷＢ（Ａｕｔｏ　Ｗｈｉｔｅ　Ｂａｌａｎｃｅ）検出部、ＡＦ（ＡｕｔｏＦｏｃｕｓ）検出部、ビデオエンコーダ、音声信号処理部などの各信号処理部が包含されている。したがってこのＤＳＰ１１２でＣＣＤ固体撮像素子１１０で得られたＲＧＢ信号からなる画像データに一連の処理が施され、その処理が施された画像データがＬＣＤ１０５、記録メディア１３０といった出力機器へ出力される。またＤＳＰ内の音声信号処理部では動画撮影モードのときなどに使用されるマイクからの音声信号の処理が行なわれるとともにスピーカへ出力するための音声信号の処理が行われる。
【００４０】
また、ＤＳＰ１１２内のＡＥ検出部ではＲＧＢデータに基づいて輝度の検出が行なわれており、この検出結果に応じてＣＰＵ１１１からメータ駆動装置１５０へ駆動指令が伝えられる。この駆動指令を受けてメータ駆動装置１５０ではマグネット１５１が回動され、そのマグネット１５１が回動されて絞り板１５２も回動される。図２には小さな開口の絞り１５２ａが光軸に配置された後の状態が示されている。
【００４１】
その小さな開口を有する絞り１５２ａよりも相対的に大きな開口の絞り１５３ａを有する絞り板１５３は光軸に配置され固定されており、小さな開口の絞りを有する絞り板１５２の方がメータ駆動装置１５０により回動されて配置される仕組みになっている。相対的に小さな口径の絞り１５２ａよりも大きな開口の絞り１５３ａが使用されるときには小さな開口の絞り１５２ａを有する絞り板１５２は光軸から開放された位置に回動されて保持されて、小さな開口の絞り１５２ａが使用されるときにはその小さな開口の絞りを有する絞り板１５２がそれよりも大きな開口の絞り１５３ａを覆うように回動されて保持される。この絞り板１５２はメータ駆動装置１５０により回動され、二つの位置に保持されるので以降の説明においては、絞り板１５２が回動されたときの二つの位置を簡略に説明するため、小さな開口の絞り１５２ａを有する絞り板１５２が回動され、小さな開口の絞り１５２ａが有効になるときの一方の位置を小絞り位置と記し、その小さな開口の絞り１５２ａが開放され、その小さな開口の絞り１５２ａよりも大きな開口の絞り１５３ａが有効になるときの他方の位置を開放絞り位置と記す。
【００４２】
ＣＣＤ固体撮像素子１１１に与えられる光量を調節するための絞りは、撮影レンズで被写体が捉えられている限りは、ＣＣＤ固体撮像素子１１０から読み出されたＲＧＢ信号がＤＳＰ１１２内のＡＥ検出部に供給されて輝度の調節が行なわれており、絞りが絶えず切り替えられている。このときにはＤＳＰ１１２内のＡＥ検出部の検出結果に基づいてＣＰＵ１１１からメータ駆動装置１５０に駆動指示が出され、メータ駆動装置１５０ではマグネット１５１を回動させ、開放絞り位置と小絞り位置とに絞り板１５２を移動させることが行なわれる。
【００４３】
またフォーカスレンズ１１６を駆動するＤＲＶ１１７には撮影レンズで被写体が捉えられている限り、ＤＳＰ内のＡＦ検出部が機能するようにフォーカスレンズ１１８を被写体距離の近いところに対応する位置から被写体距離の遠いところに対応する位置まで移動させる制御信号が供給されているととともにＤＳＰ１１２内のＡＦ検出部の検出結果に基づいて合焦位置にフォーカスレンズ１１８を移動させる制御信号が供給されている。
【００４４】
この実施形態のデジタルカメラ１００では動画撮影モードが選択されたときに、被写体の動きに合わせて音声も録音することができるようにＡＵＤＩＯ　Ｉ／Ｆ１４０も配備されている。動画撮影モードで撮影が行なわれているときには、マイクからの音声信号がそのＡＵＤＩＯ　Ｉ／Ｆ１４０を介してＤＳＰ１１２で受け取られ、この受け取られた音声信号が記録メディアに画像データとともに記憶されるようになっている。動画撮影モードで記録メディアに記録された一連の画像データが再生モードで再生されるときには、画像データとともに記録された音声信号がＤＳＰ１１２内で処理され、動画の動きに合わせてＡＵＤＩＯ　Ｉ／Ｆ１２０を介してスピーカへ供給され、音声が発音される。
【００４５】
この動画撮影モードがＬＣＤ画面１０５ａに表示された選択メニューから十字キー１０７の操作により選択された場合の処理を図２を参照して説明する。
【００４６】
まず選択メニューで動画撮影モードが選択されたら、ＣＰＵ１１１からＤＳＰ１１２へ動画撮影モードへ移行させるための指示が出される。そうするとＤＳＰ１１２では通常の静止画撮影モードの処理のプロセスから動画撮影モードの処理のプロセスへの切替が行われる。通常の静止画撮影モードではレリーズ釦が押されたときに撮影されていた被写体像が画像データになって記録メディア１３０に記録されるが、動画撮影モードではスルー画像をあらわす画像データのいくつかがレリーズ釦１０９が押されている間、記録メディア１３０に記録され続ける。この動画撮影モードで撮影が行なわれているときにも、ＤＳＰ１１２内のＡＥ検出部では露出調整が、ＡＦ検出部では焦点調節が絶えず行われている。
【００４７】
このようにＤＳＰ１１２内で露出調整が行なわれているときには小さな開口の絞りを備えた絞り板１５２が回動され、この絞り板１５２が小絞り位置か、開放絞り位置のいずれかに配設される。
【００４８】
この絞り板を駆動するためのアクチュエータには、メータ駆動装置１５０側にある電流が流され励磁されるコイルとそのコイルにより駆動されるマグネットとが備えられており、ＣＰＵ１１１からの指示に基づいてメータ駆動装置１５０のコイルに電流が流されるとマグネットが所定の角度回動する。
【００４９】
露出調整は、撮影が行なわれているときには絶えず行なわれるものであり、本実施形態のカメラではＤＳＰ１１２内のＡＥ検出部の検出結果に応じて、相対的に小さな開口の絞りで撮影を行なうか、あるいはその相対的に小さな絞りよりも大きな開口の絞りで撮影を行なうかがその検出結果に応じて決定される。静止画撮影モードであっても、動画撮影モードであっても小絞り位置か、上記開放位置かのいずれかの位置に絞り板１５２が回動され、露出調整が行なわれた後で撮影が行なわれる。
【００５０】
図３は相対的に小さな開口の絞り１５２ａを有する絞り板１５２と、その小さな開口の絞りよりは大口径の絞り１５３ａを有する絞り板１５３の構成を示す図である。
【００５１】
図３（ａ）は静止画撮影モードのときに、絞り板１５２がいずれかの位置に回動されたときの状態を示す図であり、また図３（ｂ）は動画撮影モードのときに、絞り板１５２がいずれかの位置に回動されたときの状態を示す図である。図３の左側には開放絞り位置に絞り板１５２があるときの状況が、図３の右側には小絞り位置に絞り板１５２があるときの状況がそれぞれ示されている。
【００５２】
動画撮影モードと静止画撮影モードでの絞り板の動作状況を説明する前に、相対的に小さな開口の絞り１５２ａを有する絞り板１５２と、その小さな開口よりも相対的に大きな開口の絞りを有する、固定された絞り板１５３およびスライド操作子１６０の構成を説明する。以下、説明を簡略にするため、回動される絞り板１５２の方を回動絞り板と記し、固定されている絞り板１５３の方を固定絞り板と記す。
【００５３】
図３に示すように回動絞り板１５２にはマグネット１５４の一端側が係合されている。このマグネット１５１はマグネットの他端が回動自在に軸支されており、その支軸を中心に所定の角度、回動することが自在な構成になっている。
【００５４】
このマグネット１５１を、支軸を中心に回動させるためのコイルが図示はしないがメータ駆動装置（図２参照）側にあり、このコイルに流される電流の向きに応じてそのマグネット１５１が所定の角度、メータのように振れ、回動絞り板１５２が開放絞り位置あるいは小絞り位置に配置されるようになっている。
【００５５】
図３（ａ）および図３（ｂ）の左側に示すように、回動絞り板１５２の一方の腕部１５２ｃが当て付け部材１５５に係止されて回動絞り板１５２が開放絞り位置にあるときには、相対的に大きな開口の絞り１５３ａが光軸に配置される。これに対し、図３（ａ）および図３（ｂ）の右側に示すように、回動絞り板１５２の他方の腕部１５２ｂが当て付け部材１５５に係止されて回動絞り板１５２が小絞り位置にあるときには点線で示した相対的に大きな開口の絞りが回動絞り板１５２により塞がれて、相対的に大きな開口の絞り１５３ａよりも小さな開口の絞り１５２ａが光軸に配置される。
【００５６】
この相対的に小さな開口の絞り１５２ａを有する絞り板１５２はマグネット１５４に係合されており、そのマグネット１５１がメータ駆動装置１５０によりいずれかの方向へ所定の角度、回動される。そうすることにより回動絞り板１５２が開放絞り位置に移動したり、あるいは小絞り位置に移動したりして、相対的に小さな絞り１５２ａが光軸に配設されたり、光軸から開放されたりする。
【００５７】
またこの回動絞り板１５２には回動絞り板１５２の外縁に距離を隔てて二本の腕部１５２ｂ，１５２ｃが設けられており、これらの腕部１５２ｂ，１５２ｃに挟まれる位置に当て付け部材１５５が配設されている。この当て付け部材１５５はレンズ鏡胴側に固定されており、前述したマグネット１５１がメータ駆動装置１５０のコイルに流される電流により回動されると、回動絞り板１５２とともに二つの腕部１５２ｂ，１５２ｃがともに回動され、それらの腕部１５２ｂ，１５２ｃのうちいずれかの腕部がその固定された当て付け部材１５５に当接される。その当て付け部材１５５に当接した、いずれかの腕部１５２ｂ、あるいは１５２ｃは当て付け部材１５５に係止され、回動絞り板１５２が開放絞り位置あるいは小絞り位置にそのまま保持される。
【００５８】
この当て付け部材１５５の近傍には、スライド操作子１６０が配設されており、そのスライド操作子１６０の一方の端部には緩衝部材１６１が連結されている。この緩衝部材１６１はスライド操作に応じてスライドされるスライド操作子１６０により当て付け部材１５５側へ押し出されたり、当て付け部材１５５側から引き戻されたりする。
【００５９】
このスライド操作子１６０の筐体１６０ａには、距離を隔てて二つの長孔１６０１ａ，１６０２ａが設けられており、これらの長孔１６０１ａ，１６０２ａに係合されるピン１６０１、１６０２がスライド操作子１６０の筐体１６０ａ内に配設されたスライド部材側に二つ設けられている。ユーザによりスライド操作子１６０が操作されるときにはこれらのピン１６０１，１６０２がガイドピンになり、これらのピンが係合される長孔１６０１ａ，１６０２ａ二つがそれぞれのピンを直進させるためのガイドになる。
【００６０】
図示はしないが、スライド操作子１６０にはクリック機構が設けられており、スライド操作子１６０が動画側あるいは静止画側いずれかの側にスライドされたときにはそのクリック機構によりスライド操作子１６０の位置が動画側あるいは静止画側にそのまま保たれるようになっている。このようにスライド操作子１６０の位置がクリック機構により保たれると、スライド操作子１６０のスライド操作により緩衝部材１６１が押し出されたときには、緩衝部材１６１が当て付け部材１５５を覆うように位置するので回動絞り板１５２のいずれかの腕部１５２ｂあるいは１５２ｃが当て付け部材１５５に当接されたときの音の発生が効果的に抑えられる。また、スライド操作子１６０のスライド操作により当て付け部材１５５から緩衝部材１６１が引き戻されたときには緩衝部材１６１が当て付け部材１５５側に残されたままになり、静止画撮影モードのときに回動絞り板の腕部がその緩衝部材のいずれかの部分に触れ、回動絞り板の位置がずれて小さな開口の絞り１５２ａが光軸からずれる、あるいは相対的に大きな開口の絞り１５３ａに回動絞り板１５２の一部がかかり、光の進行を一部妨げるといったことがなくなり、良好な光学性能が得られる。
【００６１】
図３（ａ）を参照して静止画撮影モードのときの絞り板の切り替えられたときの様子を説明する。
【００６２】
静止画撮影モードのときにはスライド操作子１６０が静止画側へスライドされる。このときにはスライド操作子に連結された緩衝部材１６１は当て付け部材１５６の位置から離れた位置に保持されている。したがって回動絞り板１５２が回動されたときにはそのまま剛体の当て付け部材１５６に回動絞り板１５２が当接されて係止される。そうすると回動絞り板１５２の位置がずれることなく、高い位置精度で回動絞り板１５２がその位置に係止されたまま保持される。
【００６３】
静止画撮影モードにおいては撮影された画像に高解像度であることが要求されているので、剛体からなる当て付け部材１５５に回動絞り板１５２を当接させたときに当接音が発生したとしても、開放絞り位置と小絞り位置とに回動絞り板１５２が回動されたときに高い位置精度で絞り板が当て付け部材に係止されることの方が重視される。こうすると回動絞り板１５２が開放絞り位置あるいは小絞り位置いずれの位置にあっても充分な光量がＣＣＤ固体撮像素子に与えられる。したがって、ＣＣＤ固体撮像素子に撮影に必要な光量が与えられ、ＣＣＤ固体撮像素子に充分なダイナミックレンジが得られ、さらに後段の信号処理部でダイナミックレンジの調節が行なえるので品質の高い画像が得られる。
【００６４】
これに対し、動画撮影モードにおいては、ユーザによりスライド操作子１６０が動画側へスライド操作される。このときにはスライド操作子１６０に連結された緩衝部材１６１が当て付け部材１５５を覆うように位置する。こうすることによって当て付け部材１５５と絞り板の腕部１５２ａ，１５２ｂそれぞれとの間に緩衝部材１６０を介在させて当接による音の発生を防止しようとするものである。
【００６５】
このように柔らかい緩衝部材１６１を回動絞り板１５２と当て付け部材１５５との間に介在させると回動絞り板１５２の位置がずれることもあるが、動画撮影モードのときにはそれほどの解像度が要求されてはいないということもあり、位置精度よりも騒音の防止効果の方が優先される。つまり動画撮影モードであるが故に駒ごとの画像の繋がりの方が重視されて静止画ほどの解像度が要求されないところが巧みに利用されている訳である。
【００６６】
なお、この緩衝部材１６０は弾力性に富み、当て付け部材１５５を覆う程度の長さを有していることが好ましい。このようにすると動画撮影モードが選択メニューにより選択され、さらにスライド操作子１６０が動画側にスライド操作されたときには緩衝部材１６１を回動絞り板１５２と当て付け部材１５５との間に介在させることができ、通常の静止画撮影モードにおいては緩衝部材１６１を当て付け部材１５５から離脱させることにより剛体の当て付け部材で絞り位置の位置決めを正確に行わせることができる。
【００６７】
つまり、通常の撮影モードで静止画撮影が行なわれる場合には、音の発生は承知の上で位置精度を高めることが行なわれて、光学性能の劣化が抑制される。動画撮影モードであれば、緩衝部材により騒音の発生が防止され、撮影中に回動絞り板１５２の位置が開放絞り位置あるいは小絞り位置のいずれかに移動させられたとしても、当て付け部材１５５に回動絞り板１５２の腕部１５２ｂ，１５２ｃが緩衝部材１６１の柔らかさにより弾力的に当接され、音が発生しにくくなる。したがって回動絞り板１５２が固定された当て付け部材１５５に当接したときの音が音声とともにマイクに拾われ、騒音として記録されることがなくなる。
【００６８】
【発明の効果】
以上、説明したように、本発明のカメラによれば、静止画撮影モード、動画撮影モードを有するデジタルカメラにおいて静止画撮影モードのときには光学性能が劣化することなく画像が記録されるとともに、動画撮影モードのときには画像とともに音声は記録されても、音声以外の音が記録され難いデジタルカメラを提供することができる。
【図面の簡単な説明】
【図１】本発明の実施形態を示すカメラの外観を示す図である。
【図２】図１のデジタルカメラ内に配備された信号処理部の構成を示す図である。
【図３】回動絞り板および固定絞り板の構成を示す図である。
【符号の説明】
１００　　カメラ
１０５　　ＬＣＤ
１０５ａ　　ＬＣＤ画面
１１０　　ＣＣＤ固体撮像素子
１１１　　ＣＰＵ
１１２　　ＤＳＰ
１１３　　ＳＤＲＡＭ
１１４　　ＦＬＡＳＨＲＯＭ
１１５　　各スイッチおよび各キー
１１６　　ＴＧ
１１７　　ＤＲＶ
１１８　　フォーカスレンズ
１１９　　ＣＤＳおよびＡ／Ｄ部
１２０　　Ｉ／Ｆ
１３０　　記録メディア
１４０　　ＡＵＤＩＯ　Ｉ／Ｆ
１５０　　メータ駆動装置
１５１　　マグネット
１５２　　回動絞り板
１５２ａ　　小さな開口の絞り
１５２ｂ　　腕部
１５２ｃ　　腕部
１５３　　固定絞り板
１５３ａ　　小さな開口の絞りより大きな開口の絞り
１５４　　係合ピン
１５５　　当て付け部材
１６０　　スライド操作子
１６１　　緩衝部材
【図１】
2004040690.tif 000003
【図２】
2004040690.tif 000004
【図３】
2004040690.tif 000005